(57)【要約】      （修正有）【課題】一局２装置構成の無線端末装置では、使い勝手の良い無線端末装置の実現が望まれている。特に、火災現場や事故現場等では、緊急状態が想定され、緊急車両等に装備される無線端末装置の使い勝手を向上させたいといった要求が多く出されている。【解決手段】車載無線機および携帯無線機を有する無線端末装置において、上記車載無線機は、上記携帯無線機を着脱可能に装着する携帯無線機収容部と該携帯無線機収容部に上記車載無線機の電源のＯＮ／ＯＦＦ情報を出力する端子を有し、上記携帯無線機は、該携帯無線機の電源のＯＮ／ＯＦＦを制御する制御部と上記車載無線機の電源のＯＮ／ＯＦＦ情報を検出する検出端子を有し、上記携帯無線機が上記携帯無線機収容部に装着された場合、上記携帯無線機の上記制御部は、上記車載無線機の電源のＯＮ／ＯＦＦ情報を出力する端子からの情報に基づいて上記携帯無線機の電源をＯＮ／ＯＦＦするように構成される。【選択図】図１
2007137100.tif 000002
【特許請求の範囲】
【請求項１】
車載無線機および携帯無線機を有する無線端末装置において、上記車載無線機は、上記携帯無線機を着脱可能に装着する携帯無線機収容部と該携帯無線機収容部に上記車載無線機の電源のＯＮ／ＯＦＦ情報を出力する端子を有し、上記携帯無線機は、該携帯無線機の電源のＯＮ／ＯＦＦを制御する制御部と上記車載無線機の電源のＯＮ／ＯＦＦ情報を検出する検出端子を有し、上記携帯無線機が上記携帯無線機収容部に装着された場合、上記携帯無線機の上記制御部は、上記車載無線機の電源のＯＮ／ＯＦＦ情報を出力する端子からの情報に基づいて上記携帯無線機の電源をＯＮ／ＯＦＦすることを特徴とする無線端末装置。
【請求項２】
請求項１記載の無線端末装置において、上記車載無線機の電源のＯＮ／ＯＦＦ情報を出力する端子がＯＮ情報を出力し、上記携帯無線機の電源がＯＦＦ状態で上記車載無線機の携帯無線機収容部に上記携帯無線機が装着された場合、上記携帯無線機の制御部は、上記車載無線機の電源のＯＮ／ＯＦＦ情報を出力する端子のＯＮ情報に基づいて上記携帯無線機の電源をＯＮすることを特徴とする無線端末装置。
【請求項３】
請求項２記載の無線端末装置において、上記車載無線機は、更に、制御部を有し、上記車載無線機の上記制御部は、上記車載無線機の電波の発射を許可し、上記携帯無線機の制御部は、上記携帯無線機からの電波の発射を禁止し、上記携帯無線機をモニタとして動作させることを特徴とする無線端末装置。
【発明の詳細な説明】
【技術分野】
【０００１】
本発明は、無線端末装置に関し、特に、一局２装置構成の無線端末装置に関するものである。
【背景技術】
【０００２】
防災、消防あるいは救急用として実用化されているデジタル無線システムの一つとして、標準規格ARIB STD-T79（Association of Radio Industries and Businesses-T79）（例えば、非特許文献１参照）で定められているデジタル移動通信システムがある。このデジタル移動通信システムで使用される無線端末装置として自動車等の車両に搭載される車載無線機と携帯無線機とを共用する無線端末装置がある。このような共用する無線端末装置において、車両内に設置された車載無線機と車両外で使用する携帯無線機とを使用する場合には以下の方法が一般的である。
【０００３】
第１の方法は、図６に示される。図６において、６０１は、車載アダプタ、６０２は、携帯無線機（あるいは可搬型無線機とも言う。）、６０３は、車載無線機用空中線、６０４は、携帯無線機用空中線である。そして、携帯無線機６０２を車両内で使用する場合、携帯無線機６０２を車両内に設置された車載アダプタ６０１に搭載し、空中線（アンテナ）を携帯無線機用空中線６０４から車載無線機用空中線６０３に切替えて、空中線からの電波の発射を車載無線機用空中線６０３から行ない車載無線機として使用する。また、携帯無線機６０２を車両外で使用する場合、図７に示すように携帯無線機６０２（あるいは可搬型無線機）を車載アダプタ６０１から取り外して空中線を車載無線機用空中線６０３から携帯無線機用空中線６０４に切替えて携帯無線機６０２として独立して使用する。なお、この場合の車載無線機と携帯無線機は、同一の通信免許が与えられている。しかしながら図７に示すように携帯無線機６０２を車両外で使用する場合、車両内あるいは車両近くにいる人には携帯無線機６０２の使用状況が把握できないという問題がある。
【０００４】
第２の方法は、図８に示される。図８において、８０１は、車載無線機、８０２は、携帯無線機、８０３は、車載無線機用空中線、８０４は、携帯無線機用空中線である。この場合は、車載無線機８０１と携帯無線機８０２の二つの無線設備を所有している。従って、車両内でも、車両外でもそれぞれ独立に使用できるので、お互いに使用状況を知る必要がなく、緊急時にも自由に車載無線機８０１および携帯無線機８０２を使用することができる。しかしながらこの方法は、車載無線機８０１および携帯無線機８０２にそれぞれ無線免許が独立して必要となる。また、同一の車両内に二台の車載無線機８０１および携帯無線機８０２を搭載しているので、呼出名称で無線呼出しを行う無線システムでは、それぞれ異なった呼出名称を設定する必要がある等の問題がある。
【０００５】
上述したように第１および第２の方法は、いずれも車載無線機および携帯無線機の使用に際し、種々の問題があり、特に、火災現場や事故現場等における緊急状態において、操作者が車載無線機と携帯無線機とを容易に使い分けることのできる、使い勝手の良い無線端末装置の実現が望まれている。
【０００６】
【特許文献１】特開２００１−７７７４７号公報
【非特許文献１】標準規格ARIB STD-T79：市町村デジタル移動通信システム  社団法人  電波産業会
【発明の開示】
【発明が解決しようとする課題】
【０００７】
上述のような無線端末装置では、ユーザの使い勝手などの点で種々の問題があり、未だに不十分なところがあり、使い勝手の良い無線端末装置の実現が望まれている。特に、火災現場や事故現場等では、緊急状態が想定され、消防や救急自動車等に装備される無線端末装置の使い勝手を向上させたいといった要求が多く出されている。
【０００８】
本発明の目的は、使い勝手を向上させることができる無線端末装置を提供することである。
【０００９】
本発明の他の目的は、一局２装置構成の無線端末装置で、車載無線機および携帯無線機が一体の場合と、分離されている場合を自動的に判別し、通信できる無線端末装置を提供することである。
【００１０】
本発明の更に他の目的は、一回の操作で車載無線機および携帯無線機のＯＮ／ＯＦＦができる無線端末装置を提供することである。
【課題を解決するための手段】
【００１１】
本発明は、車載無線機および携帯無線機を有する無線端末装置において、上記車載無線機は、上記携帯無線機を着脱可能に装着する携帯無線機収容部と該携帯無線機収容部に上記車載無線機の電源のＯＮ／ＯＦＦ情報を出力する端子を有し、上記携帯無線機は、該携帯無線機の電源のＯＮ／ＯＦＦを制御する制御部と上記車載無線機の電源のＯＮ／ＯＦＦ情報を検出する検出端子を有し、上記携帯無線機が上記携帯無線機収容部に装着された場合、上記携帯無線機の上記制御部は、上記車載無線機の電源のＯＮ／ＯＦＦ情報を出力する端子からの情報に基づいて上記携帯無線機の電源をＯＮ／ＯＦＦするように構成される。
【００１２】
また、本発明の無線端末装置において、上記車載無線機の電源のＯＮ／ＯＦＦ情報を出力する端子がＯＮ情報を出力し、上記携帯無線機の電源がＯＦＦ状態で上記車載無線機の携帯無線機収容部に上記携帯無線機が装着された場合、上記携帯無線機の制御部は、上記車載無線機の電源のＯＮ／ＯＦＦ情報を出力する端子のＯＮ情報に基づいて上記携帯無線機の電源をＯＮするように構成される。
【００１３】
また、本発明の無線端末装置において、上記車載無線機は、更に、制御部を有し、上記車載無線機の上記制御部は、上記車載無線機の電波の発射を許可し、上記携帯無線機の制御部は、上記携帯無線機からの電波の発射を禁止し、上記携帯無線機をモニタとして動作させるように構成される。
【００１４】
また、本発明の無線端末装置において、上記車載無線機の電源のＯＮ／ＯＦＦ情報を出力する端子がＯＦＦ情報を出力し、上記携帯無線機の電源がＯＮ状態で上記車載無線機の携帯無線機収容部に上記携帯無線機が装着された場合、上記携帯無線機の制御部は、上記車載無線機の電源のＯＮ／ＯＦＦ情報を出力する端子のＯＦＦ情報に基づいて上記携帯無線機の電源をＯＦＦするように構成される。
【００１５】
また、本発明の無線端末装置において、上記携帯無線機収容部および上記携帯無線機は、更に、光通信部を有し、上記車載無線機と上記携帯無線機とが上記光通信部を介して通信データを伝送するように構成される。
【発明の効果】
【００１６】
以上説明したように本発明によれば、車載無線機の電源のＯＮ／ＯＦＦ状態に応じて携帯無線機の電源のＯＮ／ＯＦＦの制御をすることができる。従って、一方の無線機をモニタとして使用したり、あるいは電源の切り忘れをなくし、省電力化が図れる。また、車載無線機の運用時には、非接触通信により、車載無線機と通信することができるため、緊急時等においては、車載無線機と携帯無線機を即座に運用することができ、救急・消防等における無線端末装置の使い勝手を向上させることができる。
【発明を実施するための最良の形態】
【００１７】
本発明の一実施例を図１〜図５を用いて説明する。図３は、本発明が適応される無線通信システムを示す図であって、例えば、救急・消防等に使用されるデジタル移動無線システムである。図３において、３０１−１、・・・３０１−Ｎは、移動可能な無線端末装置である。これら無線端末装置は、車載無線機と携帯無線機で構成される一局２装置構成の無線端末装置である。詳細については後述する。なお、無線端末装置３０１−１、・・・３０１−Ｎを代表する場合は、無線端末装置３０１と称する。３０２−１、・・・３０２−Ｐは、基地局装置を表わす。なお、基地局装置３０２−１、・・・３０２−Ｐを代表する場合は、基地局装置３０２と称する。無線端末装置３０１と基地局装置３０２とは、無線回線で通信が行われる。例えば、無線端末装置３０１から基地局装置３０２への上り回線は、無線キャリアＦが、また、基地局装置３０２から無線端末装置３０１への下り回線は、無線キャリアｆのペアー波が用いられ、それぞれ通信が行われる。３０３は、無線制御装置、３０４は、回線制御装置、３０５は、指令装置、３０６は、遠隔制御装置である。
【００１８】
各基地局装置３０２は、自己の通信可能エリア（サービスエリアとも言う。）に位置する無線端末装置３０１を管理し、無線端末装置３０１間で無線回線により通信している。また、各基地局装置３０２は、無線制御装置３０３を介して、回線制御装置３０４や遠隔制御装置３０６との間で通信している。遠隔制御装置３０６は、例えば、防災本部に設置されており、無線制御装置３０３を介して基地局装置３０２と接続され、基地局装置３０２の遠隔制御等を行う。指令装置３０５は、例えば、管理センタに設置されており、無線通信システムの運用等の種々の管理を行う。
【００１９】
また、本実施例の無線通信システムで使用される無線端末装置３０１は、例えば、救急車や消防車等の全ての救急・消防自動車等に搭載されている。そして、例えば、各防災本部に存在する管理者と、外部の勤務者との間などのように、防災担当者の間で、指令装置３０５や無線端末装置３０１を用いて通話することが可能である。更に、無線通信システムでは、例えば、各防災本部などで、適宜グループ分けがなされ、任意のグループを指定して、上位グループの無線端末装置から下位グループに属する無線端末装置に対して一斉指令を配信したり、あるいは、通常の無線端末装置から所定のグループに属する全ての無線端末装置に対して一斉指令を配信することも可能である。
【００２０】
また、本実施例で示す無線通信システムでは、例えば、グローバルポジショニングシステム（ＧＰＳ）や、基地局装置のセクタ構成などを用いて、それぞれの無線端末装置３０１が存在する場所（位置）を特定し、指令装置に登録する等も可能である。
【００２１】
なお、無線通信システムの構成としては、本実施例に限られるものではなく、種々のシステム構成が有り得る。例えば無線端末装置３０１の数や、基地局装置３０２の数は、システムの規模、目的等に応じて定めることができることは言うまでもない。
【００２２】
次に、本発明の一実施例を図１および図２を用いて説明する。図１は、本発明の無線端末装置の一実施例の概略構成を示す図であり、図２は、図１に示す本発明の無線端末装置の一部拡大図である。図１において、１０１は、車載無線機、１０２は、ハンドセット、１０３は、車載無線機用空中線、１０４は、操作表示部、１０５は、車載無線機の無線部、１０６は、車載無線機の制御部、１０７は、車載無線機と携帯無線機との間の信号等を伝送したり、電源供給のための伝送路、１０８は、携帯無線機の載置台または携帯無線機収容部である。１０９は、充電部、１１０は、携帯無線機、１１１は、携帯無線機用空中線、１１２は、携帯無線機の無線部、１１３は、携帯無線機の制御部、１１４は、電池パックである。
【００２３】
ハンドセット１０２は、音声を入力するマイク部、音声を出力するスピーカ部および無線端末装置の各種入力や条件設定のためのキーボタンを有する操作部を備えており、例えば、ユーザによる操作により、音声の送受信が可能であり、また、所定の操作によりキー入力データを制御部１０６へ出力する。
【００２４】
操作表示部１０４は、操作モードが設定される操作パネルであり、ユーザによる操作により所定の操作モードを指定することが可能であり、指定されたモード情報を制御部１０６へ出力する。制御部１０６は、車載無線機の各種の処理や制御を行う機能を有しており、本実施例では、例えば、ハンドセット１０２から入力されるキー入力情報により、例えば、操作モードを切り替える処理を行う。また、無線部１０５は、車載無線機用空中線１０３を介して基地局３０２との送受信を行う。
【００２５】
携帯無線機１１０は、携帯無線機用空中線１１１と、携帯無線機１１０の電源である電池パック１１４と、携帯無線機の無線部１１２、携帯無線機の制御部１１３を備えている。携帯無線機１１０は、マイク部、スピーカ部、操作部、表示部等（図示せず。）を備えており、操作部の操作により、車載無線機１０１と同様に、各種モード操作、通信制御を行うことが可能である。
【００２６】
載置台１０８は、携帯無線機１１０を載置する機能を有すると共に、充電部１０９を備ている。ここで、車載無線機１０１は、載置台１０８を介して携帯無線機１１０と接続されている。また、載置台１０８は、車載無線機１０１からの電源供給により、充電部１０９を介して、電池パック１１４を充電する機能を有している。
【００２７】
電池パック１１４は、様々な電池が用いられてもよく、例えば、携帯無線機として一般的なリチウムイオン電池が用いられる。充電部１０９は、電池パック１１４の種類により、適切な充電制御を行う機能を有している。例えば、電池パック１１４がリチウムイオン電池が用いられる場合には、定電圧定電流充電制御による充電が行われる。
【００２８】
次に、携帯無線機１１０と載置台１０８の具体的な構成について図２を用いて説明する。図２において、２０１および２０２は、例えば、光通信部を示している。光通信部は、例えば、光通信部２０１は、フォトダイオードのような受光素子、また、光通信部２０２は、ＬＥＤあるいは半導体レーザのような発行素子であって、良く知られた光伝送路あるいは光結合部から構成されている。この光通信部２０１、２０２は、制御部１０６および１１３からのデジタル信号を、例えば、赤外線データに変換し、送受信を行う機能を有しており、携帯無線機１１０の制御部１１３と車載無線機１０１の制御部１０６との間の制御信号等の通信に用いられる。
【００２９】
端子２０３および２０４は、携帯無線機１１０を載置台１０８に載置した場合に、携帯無線機１１０の制御部１１３がそれを検出するための端子である。図２では、端子２０３の電位が端子２０４の接地電位を検出することによって携帯無線機１１０の制御部１１３は、載置状態を検出している。また、端子２０５は、携帯無線機１１０の電源ＯＮ／ＯＦＦ情報の入力端子であり、端子２０６は、車載無線機１０１の電源ＯＮ／ＯＦＦ情報の出力端子を示している。更に、詳述すると、これら端子２０５と２０６が接続されることによって、携帯無線機１１０の電源のＯＮ／ＯＦＦが制御される。即ち、車載無線機電源ＯＮ／ＯＦＦ情報の出力端子２０６は、車載無線機１０１の電源ＯＮ／ＯＦＦ状態により制御部１０６で制御される端子であり、車載無線機電源ＯＮ／ＯＦＦ情報の出力端子２０６の電位は、車載無線機１０１が電源ＯＮ時には、Ｈ（High）レベルとなり、電源ＯＦＦ時には、Ｌ（Low）レベルとなるように構成されている。そして、携帯無線機１１０が載置台１０８に載置されると、携帯無線機１１０の電源ＯＮ／ＯＦＦ情報の入力端子２０５と車載無線機電源ＯＮ／ＯＦＦ情報の出力端子２０６が接触すると、車載無線機電源ＯＮ／ＯＦＦ情報の出力端子２０６の電位が制御部１１３で検出される。従って、携帯無線機１１０の制御部１１３は、車載無線機１０１の電源ＯＮ／ＯＦＦの状態を検出し、携帯無線機１１０の電源を制御する。なお、上述した車載無線機１０１および携帯無線機１１０の各接続端子は、例えば、接点端子やスイッチ等よる接触回路を用いて構成することができるし、また、磁気スイッチ等の非接触スイッチを用いる非接触回路を用いても構成することもできる。
【００３０】
上述した電源の制御について図４を用いて説明する。図４は、車載無線機１０１の電源ＯＮ／ＯＦＦに対して、携帯無線機１１０が載置前の電源ＯＮ／ＯＦＦの状態から載置後に電源ＯＮ／ＯＦＦの状態がどう変化するかを表わしたものである。例えば、車載無線機１０１の電源ＯＮ状態では、車載無線機電源ＯＮ／ＯＦＦ情報の出力端子２０６は、Ｈレベルとなっているため、載置前の携帯無線機１１０の電源がＯＮ状態で、携帯無線機１１０を載置台１０８に載置した場合、携帯無線機１１０の電源は、ＯＮのまま保持される。しかしながら載置前の携帯無線機１１０の電源がＯＦＦ状態で、携帯無線機１１０を載置台１０８に載置した場合、携帯無線機１１０の電源は、ＯＦＦからＯＮに切替わる。即ち、携帯無線機１１０の電源回路がＯＮされ、携帯無線機１１０の電源が立上る。
【００３１】
また、車載無線機１０１が電源ＯＦＦ状態では、車載無線機電源ＯＮ／ＯＦＦ情報の出力端子２０６は、Ｌレベルとなっているため、載置前の携帯無線機１１０の電源がＯＮ状態で、携帯無線機１１０を載置台１０８に載置した場合、携帯無線機１１０の電源は、ＯＮからＯＦＦに切替わる。しかしながら載置前の携帯無線機１１０の電源がＯＦＦ状態の場合は、携帯無線機１１０を載置台１０８に載置した場合、携帯無線機１１０の電源は、ＯＦＦのまま維持される。このように携帯無線機１１０の電源ＯＮ／ＯＦＦが載置台１０８に載置された状態で、車載無線機１０１の電源のＯＮ／ＯＦＦ状態で制御されるように構成されている。
【００３２】
また、２０７は、携帯検知スイッチであり、携帯無線機１１０が載置台１０８に載置された場合、携帯検知スイッチ２０７が押され、これによって車載無線機１０１の制御部１０６が接地電位を検出し、携帯無線機１１０が載置台１０８に載置されたことを検出する。
【００３３】
次に、本発明の一実施例の動作を図４および図５を用いて説明する。図５は、本発明の動作を説明するためのフローチャートである。なお、本実施例で示される無線端末装置は、１つの通信免許が与えられた一局２装置構成の無線端末装置である。従って、車載無線機１０１と携帯無線機１１０とがペアーを構成し、使用者は、車載無線機運用か、携帯無線機運用かを使用状況に応じて選択することが可能である。図５において、ステップ５０１では、携帯無線機と車載無線機を結合、即ち、携帯無線機１１０が載置台１０８に置かれた場合を示している。即ち、携帯無線機１１０が載置台１０８に載置されると、携帯無線機１１０の制御部１１３および車載無線機１０１の制御部１０６が前述した方法で載置されたことを検出し、かつ、車載無線機１０１の電源がＯＮ状態では、携帯無線機１１０を車載無線機１０１と合体した車載運用モードとなる。この場合、載置前の携帯無線機１１０の電源がＯＮ／ＯＦＦのいずれであっても、携帯無線機１１０の電源は、ＯＮとなる。この車載運用モードでは、ステップ５０２で動作する。この場合、一局２装置構成で１つの免許が与えられていることから車載無線機１０１からの電波の発射を許可し、携帯無線機１１０からの電波の発射を禁止する。即ち、車載無線機１０１の制御部１０６は、車載無線機１０１の車載無線機用空中線１０３からの電波の発射を許可し、携帯無線機１１０の制御部１１３は、携帯無線機１１０の携帯無線機用空中線１１１からの電波の発射を禁止する。なお、この車載運用モードでは、携帯無線機１１０からの電波の発射は、禁止されているが、基地局３０２からの無線キャリアｆをモニタすることができる。図４からも明らかなように携帯無線機１１０がＯＦＦの状態で、載置台に載置した場合でも、車載無線機１０１の電源がＯＮされた状態では、携帯無線機１１０の電源は、自動的にＯＮされ、携帯無線機１１０はモニタとして動作させることができる。従って、個別に携帯無線機１１０の電源をＯＮにするような手間が省け、緊急事態等では操作しなくてもモニタが動作する特徴がある。
【００３４】
更に、この車載運用モードでは、車載無線機１０１と携帯無線機１１０とは、光通信部２０１および２０２を介して光通信、例えば、赤外線通信によりデータ通信を行い、相互の状態確認を行う。なお、赤外線通信によりデータ通信される信号には、赤外線通信特有のデータの折返しノイズによる誤検出を防止するための車載データか、携帯データかを識別する識別信号あるいは所定モード、例えば、車載運用モードであることを通知する情報等が含まれている。
【００３５】
次に、ステップ５０３で、携帯無線機１１０を車載無線機１０８の載置台１０８から分離した場合を検出する。即ち、載置台１０８より携帯無線機１１０が取り外された場合には、前述したように制御部１０６および１１３は、それぞれ携帯無線機１１０が載置台１０８から取り外されたことを検出し、携帯運用モードとなる（ステップ５０４）。この場合、携帯無線機１１０の制御部１１３は、携帯無線機１１０の電波の発射を許可する。一方、車載無線機１０１の制御部１０６は、車載無線機１０６の電波の発射を禁止し、基地局３０２からの信号をモニタするように動作する。その後のステップ５０５は、ステップ５０１と同様であり、以後この動作を繰り返す。ステップ５０６は、無線通信の終了を示す。
【００３６】
なお、図４に示すように携帯無線機１１０を車載無線機１０１の載置台１０８に載置した場合、携帯無線機の電源がＯＮであっても車載無線機１０１の電源がＯＦＦであれば、携帯無線機１１０の電源がＯＦＦされる。従って、携帯無線機１１０の電源の切り忘れがなく、携帯無線機１１０の省電力化が図れる。特に、携帯無線機１１０の電池パック１１４は、電池容量が小さいので、電源の切り忘れは、電池パック１１４を消耗させるので、緊急用としては不都合であるが、本発明のように自動的に電源ＯＦＦにすることによってこのような事態を改善する効果が有る。
【００３７】
以上、本発明について詳述したように携帯無線機１１０が車載無線機１０１と接続されている場合には、車載運用モードとなり、車載無線機１０１での送受信が可能となり、携帯無線機１１０は、送信制限され、自動的に基地局からの通信をモニタする。また、携帯無線機１１０が車載無線機１０１との接続を取外した場合には、携帯運用モードとなり、携帯無線機１１０での送受信が可能となり、車載無線機１０１は、送信制限され、基地局からの通信をモニタする。
【００３８】
また、車載運用モードでは、車載無線機１０１と携帯無線機１１０とがそれぞれ通信を行い、動作モードを統一する機能を持たせることもできる。例えば、車載運用モード時に通信チャネル変更を行った場合、車載無線機１０１から携帯無線機１１０にチャネル情報をデータ通信し、２つの無線機間の通信チャネルを合せることもできる。また、携帯運用モードで通信チャネル変更を行った場合には、携帯無線機１１０を載置台１０８に載置した時に同様の通信処理を行うことで通信チャネルを合せることができる。
【００３９】
更に、本発明の無線端末装置は、上述した実施例に限定されるものではなく、取扱性を向上させる種々な構成が考えられる。上記実施例では、車載無線機１０１と携帯無線機とを載置台１０８により接続されているが、例えば、伝送路１０７に代えて光通信による非接続結合にすることにより、携帯運用モード時に、携帯無線機１１０の取外しが簡単となり使い勝手を向上することができる。
【００４０】
また、車載無線機１０１の電源のＯＮ／ＯＦＦに連動して携帯無線機１１０の電源をＯＮ／ＯＦＦするように構成することができるので、特に、救急・消防等の緊急状態が想定される場合には、効果的である。
【００４１】
以上、本発明について詳細に説明したが、本発明は、ここに記載された無線端末装置の実施例に限定されるものではなく、上記以外の無線端末装置に広く適応することが出来ることは、言うまでも無い。
【図面の簡単な説明】
【００４２】
【図１】本発明の一実施例を説明するための図である。
【図２】図１で示す本発明の一実施例の一部分の拡大図である。
【図３】本発明が適用される無線通信システムの概略構成を示す図である。
【図４】本発明の動作を説明するための図である。
【図５】本発明の動作を説明するためのフローチャートである。
【図６】従来の無線端末装置の車両内の一例を示す図である。
【図７】従来の無線端末装置の車両外の一例を示す図である。
【図８】従来の無線端末装置の車両内の他の一例を示す図である。
【符号の説明】
【００４３】
１０１、８０１：車載無線機、１０２：ハンドセット、１０３、６０３、８０３：車載無線機用空中線、１０４：操作表示部、１０５：車載無線機の無線部、１０６：車載無線機の制御部、１０７：伝送路、１０８：載置台、１０９：充電部、１１０、６０２、８０２：携帯無線機、１１１、６０４、８０４：携帯無線機用空中線、１１２：携帯無線機の無線部、１１３：携帯無線機の制御部、１１４：電池パック、２０１、２０２：光通信部、２０３、２０４、２０５、２０６：端子、２０７：携帯検知スイッチ、３０１：無線端末装置、３０２：基地局装置、３０３：無線制御装置、３０４：回線制御装置、３０５：指令装置、３０６：遠隔制御装置、６０１：車載アダプタ。
【図１】
2007137100.tif 000003
【図２】
2007137100.tif 000004
【図３】
2007137100.tif 000005
【図４】
2007137100.tif 000006
【図５】
2007137100.tif 000007
【図６】
2007137100.tif 000008
【図７】
2007137100.tif 000009
【図８】
2007137100.tif 000010